【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】
関連するティートカップライナの複数からなる、ティートカップライナのグループであって、各ライナは上方のマウスピース、円筒状壁部によって定められる中央の円筒状部及び下方の接続チューブを有し、前記円筒状部は軸方向に沿って延びて、前記マウスピースから乳頭を内部に軸方向に挿入させ、前記マウスピースは前記乳頭を受け取れるように開口部を備えた上方の縁部を有し、前記ティートカップライナのグループをｎ個の前記ライナＬ1〜ライナＬnから構成するとき、これらライナごとに変化するように選ばれた少なくとも一つのパラメータを備え、
前記縁部は前記軸方向と平行に測定される軸方向の厚さを有し、
前記円筒状壁部は前記軸方向に対して垂直に測定される垂直方向の厚さを有し、
前記パラメータの第一は前記縁部の前記軸方向の厚さであり、
前記パラメータの第二は前記円筒状壁部の前記垂直方向の厚さであり、
これら双方の組合せは、
前記縁部の前記軸方向の厚さは前記ライナＬ1〜Ｌnごとに常に増大し、かつ、
前記円筒状壁部の前記垂直方向の厚さは前記ライナＬ1〜Ｌnごとに常に減少する関係を満足させる、ことを特徴とするライナのグループ。
【請求項２】
関連するティートカップライナの複数からなる、ティートカップライナのグループであって、各ライナは上方のマウスピース、円筒状壁部によって定められる中央の円筒状部及び下方の接続チューブを有し、前記円筒状部は軸方向に沿って延びて、前記マウスピースから乳頭を内部に軸方向に挿入させ、前記マウスピースは前記乳頭を受け取れるように開口部を備えた上方の縁部を有し、前記ティートカップライナのグループをｎ個の前記ライナＬ1〜ライナＬnから構成するとき、これらライナごとに変化するように選ばれた少なくとも一つのパラメータを備え、
前記縁部は前記軸方向と平行に測定される軸方向の厚さを有し、
前記円筒状壁部は前記軸方向に対して垂直に測定される垂直方向の厚さを有し、
前記パラメータは前記縁部の前記軸方向の厚さと前記円筒状壁部の前記垂直方向の厚さの間の差であって、
前記差は前記ライナＬ1〜ライナＬnごとに常に増大することを特徴とするライナのグループ。
【請求項３】
関連するティートカップライナの一群からなる、ティートカップライナのグループであって、各ライナは上方のマウスピースと、該上方のマウスピースから下方に延びる円筒状部を有し、前記円筒状部は軸方向に沿って延びて、前記マウスピースから乳頭を内部に軸方向に挿入させ、前記マウスピースは前記乳頭を受け取れるように開口部を備えた上方の縁部を有し、前記ティートカップライナのグループをｎ個の前記ライナＬ1〜ライナＬnから構成するとき、これらライナごとに変化するように選ばれた少なくとも一つのパラメータを備え、前記縁部は前記軸方向と平行に測定される軸方向の厚さを有し、前記パラメータは前記縁部の前記軸方向の厚さであることを特徴とするライナのグループ。
【請求項４】
関連するティートカップライナの複数からなる、ティートカップライナのグループであって、各ライナは上方のマウスピース、円筒状壁部によって定められる中央の円筒状部及び下方の接続チューブを有し、前記円筒状部は軸方向に沿って延びて、前記マウスピースから乳頭を内部に軸方向に挿入させ、前記マウスピースは前記乳頭を受け取れるように開口部を備えた上方の縁部を有し、前記ティートカップライナのグループをｎ個の前記ライナＬ1〜ライナＬnから構成するとき、これらライナごとに変化するように選ばれた少なくとも二つのパラメータを備え、
前記縁部は前記軸方向と平行に測定される軸方向の厚さを有し、
前記円筒状壁部は前記軸方向に対して垂直に測定される垂直方向の厚さを有し、
前記パラメータの一つは前記縁部の前記軸方向の厚さと前記円筒状壁部の前記垂直方向の厚さの間の差であって、
前記差は前記ライナＬ1〜ライナＬnごとに増大することを特徴とするライナのグループ。
【請求項５】
関連するティートカップライナの複数からなる、ティートカップライナのグループであって、各ライナは上方のマウスピース、円筒状壁部によって定められる中央の円筒状部及び下方の接続チューブを有し、前記円筒状部は軸方向に沿って延びて、前記マウスピースから乳頭を内部に軸方向に挿入させ、前記マウスピースは前記乳頭を受け取れるように開口部を備えた上方の縁部を有し、前記ティートカップライナのグループをｎ個の前記ライナＬ1〜ライナＬnから構成するとき、これらライナごとに変化するように選ばれた少なくとも三つのパラメータを備え、
前記縁部は前記軸方向と平行に測定される軸方向の厚さＡを有し、
前記円筒状壁部は前記軸方向に対して垂直に測定される垂直方向の厚さＢを有し、
前記パラメータの一つは前記軸方向の厚さＡであり、
前記パラメータの他の一つは前記垂直方向の厚さＢであり、
前記軸方向の厚さＡ及び前記垂直方向の厚さＢは、前記ライナＬ1〜ライナＬnごとに互いに対して逆に変化することを特徴とするライナのグループ。
【請求項６】
関連するティートカップライナの複数からなる、ティートカップライナのグループの製造方法であって、各ライナは上方のマウスピース、円筒状壁部によって定められる中央の円筒状部及び下方の接続チューブを有し、前記円筒状部は軸方向に沿って延びて、前記マウスピースから乳頭を内部に軸方向に挿入させ、前記マウスピースは前記乳頭を受け取れるように開口部を備えた上方の縁部を有し、前記ティートカップライナのグループをｎ個の前記ライナＬ1〜ライナＬnから構成するとき、各ライナは外面と内面とを有し、この際、前記方法は、
第一の前記ライナＬ1を型内で製造する際、この内部に着脱自在の第一のコアＣ1を装着し、前記型によって前記ライナＬ1の外面を形成するとともに、前記コアＣ1によって前記ライナＬ1の内面を形成し、
第二の前記ライナＬ2を同一の前記型内で製造する際、この内部に着脱自在の第二のコアＣ2を装着し、前記型によって前記ライナＬ2の外面を形成するとともに、前記コアＣ2によって前記ライナＬ2の内面を形成し、
残りの前記ライナＬnを夫々同一の前記型内で製造する際、この内部に着脱自在のコアＣnを夫々装着し、前記型によって前記ライナＬnの外面を夫々形成するとともに、前記コアＣnによって前記ライナＬnの内面を夫々形成し、この際、
同一の前記型が前記ライナＬ1〜ライナＬnの夫々に用いられて、
前記ライナＬ1〜ライナＬnの夫々の外面は同一に形成され、
異なる前記コアＣ1〜コアＣnが前記ライナＬ1〜ライナＬnの夫々に用いられ、かつ、
前記コアＣ1〜コアＣnに従って、前記内面は夫々異なるように形成されることを特徴とする方法。
【手続補正２】
【補正対象書類名】明細書
【補正対象項目名】０００５
【補正方法】変更
【補正の内容】
【０００５】
【課題を解決するための手段】
上記目的を達成するために、請求項１に記載の発明は、関連するティートカップライナの複数からなる、ティートカップライナのグループであって、各ライナは上方のマウスピース、円筒状壁部によって定められる中央の円筒状部及び下方の接続チューブを有し、前記円筒状部は軸方向に沿って延びて、前記マウスピースから乳頭を内部に軸方向に挿入させ、前記マウスピースは前記乳頭を受け取れるように開口部を備えた上方の縁部を有し、前記ティートカップライナのグループをｎ個の前記ライナＬ1〜ライナＬnから構成するとき、これらライナごとに変化するように選ばれた少なくとも一つのパラメータを備え、前記縁部は前記軸方向と平行に測定される軸方向の厚さを有し、前記円筒状壁部は前記軸方向に対して垂直に測定される垂直方向の厚さを有し、前記パラメータの第一は前記縁部の前記軸方向の厚さであり、前記パラメータの第二は前記円筒状壁部の前記垂直方向の厚さであり、これら双方の組合せは、前記縁部の前記軸方向の厚さは前記ライナＬ1〜Ｌnごとに常に増大し、かつ、前記円筒状壁部の前記垂直方向の厚さは前記ライナＬ1〜Ｌnごとに常に減少する関係を満足させる、ことを特徴とする。
また、請求項２に記載の発明は、関連するティートカップライナの複数からなる、ティートカップライナのグループであって、各ライナは上方のマウスピース、円筒状壁部によって定められる中央の円筒状部及び下方の接続チューブを有し、前記円筒状部は軸方向に沿って延びて、前記マウスピースから乳頭を内部に軸方向に挿入させ、前記マウスピースは前記乳頭を受け取れるように開口部を備えた上方の縁部を有し、前記ティートカップライナのグループをｎ個の前記ライナＬ1〜ライナＬnから構成するとき、これらライナごとに変化するように選ばれた少なくとも一つのパラメータを備え、前記縁部は前記軸方向と平行に測定される軸方向の厚さを有し、前記円筒状壁部は前記軸方向に対して垂直に測定される垂直方向の厚さを有し、前記パラメータは前記縁部の前記軸方向の厚さと前記円筒状壁部の前記垂直方向の厚さの間の差であって、前記差は前記ライナＬ1〜ライナＬnごとに常に増大することを特徴とする。
また、請求項３に記載の発明は、関連するティートカップライナの一群からなる、ティートカップライナのグループであって、各ライナは上方のマウスピースと、該上方のマウスピースから下方に延びる円筒状部を有し、前記円筒状部は軸方向に沿って延びて、前記マウスピースから乳頭を内部に軸方向に挿入させ、前記マウスピースは前記乳頭を受け取れるように開口部を備えた上方の縁部を有し、前記ティートカップライナのグループをｎ個の前記ライナＬ1〜ライナＬnから構成するとき、これらライナごとに変化するように選ばれた少なくとも一つのパラメータを備え、前記縁部は前記軸方向と平行に測定される軸方向の厚さを有し、前記パラメータは前記縁部の前記軸方向の厚さであることを特徴とする。
また、請求項４に記載の発明は、関連するティートカップライナの複数からなる、ティートカップライナのグループであって、各ライナは上方のマウスピース、円筒状壁部によって定められる中央の円筒状部及び下方の接続チューブを有し、前記円筒状部は軸方向に沿って延びて、前記マウスピースから乳頭を内部に軸方向に挿入させ、前記マウスピースは前記乳頭を受け取れるように開口部を備えた上方の縁部を有し、前記ティートカップライナのグループをｎ個の前記ライナＬ1〜ライナＬnから構成するとき、これらライナごとに変化するように選ばれた少なくとも二つのパラメータを備え、前記縁部は前記軸方向と平行に測定される軸方向の厚さを有し、前記円筒状壁部は前記軸方向に対して垂直に測定される垂直方向の厚さを有し、前記パラメータの一つは前記縁部の前記軸方向の厚さと前記円筒状壁部の前記垂直方向の厚さの間の差であって、前記差は前記ライナＬ1〜ライナＬnごとに増大することを特徴とする。
また、請求項５に記載の発明は、関連するティートカップライナの複数からなる、ティートカップライナのグループであって、各ライナは上方のマウスピース、円筒状壁部によって定められる中央の円筒状部及び下方の接続チューブを有し、前記円筒状部は軸方向に沿って延びて、前記マウスピースから乳頭を内部に軸方向に挿入させ、前記マウスピースは前記乳頭を受け取れるように開口部を備えた上方の縁部を有し、前記ティートカップライナのグループをｎ個の前記ライナＬ1〜ライナＬnから構成するとき、これらライナごとに変化するように選ばれた少なくとも三つのパラメータを備え、前記縁部は前記軸方向と平行に測定される軸方向の厚さＡを有し、前記円筒状壁部は前記軸方向に対して垂直に測定される垂直方向の厚さＢを有し、前記パラメータの一つは前記軸方向の厚さＡであり、前記パラメータの他の一つは前記垂直方向の厚さＢであり、前記軸方向の厚さＡ及び前記垂直方向の厚さＢは、前記ライナＬ1〜ライナＬnごとに互いに対して逆に変化することを特徴とする。
また、請求項６に記載の発明は、関連するティートカップライナの複数からなる、ティートカップライナのグループの製造方法であって、各ライナは上方のマウスピース、円筒状壁部によって定められる中央の円筒状部及び下方の接続チューブを有し、前記円筒状部は軸方向に沿って延びて、前記マウスピースから乳頭を内部に軸方向に挿入させ、前記マウスピースは前記乳頭を受け取れるように開口部を備えた上方の縁部を有し、前記ティートカップライナのグループをｎ個の前記ライナＬ1〜ライナＬnから構成するとき、各ライナは外面と内面とを有し、この際、前記方法は、第一の前記ライナＬ1を型内で製造する際、この内部に着脱自在の第一のコアＣ1を装着し、前記型によって前記ライナＬ1の外面を形成するとともに、前記コアＣ1によって前記ライナＬ1の内面を形成し、第二の前記ライナＬ2を同一の前記型内で製造する際、この内部に着脱自在の第二のコアＣ2を装着し、前記型によって前記ライナＬ2の外面を形成するとともに、前記コアＣ2によって前記ライナＬ2の内面を形成し、残りの前記ライナＬnを夫々同一の前記型内で製造する際、この内部に着脱自在のコアＣnを夫々装着し、前記型によって前記ライナＬnの外面を夫々形成するとともに、前記コアＣnによって前記ライナＬnの内面を夫々形成し、この際、同一の前記型が前記ライナＬ1〜ライナＬnの夫々に用いられて、前記ライナＬ1〜ライナＬnの夫々の外面は同一に形成され、異なる前記コアＣ1〜コアＣnが前記ライナＬ1〜ライナＬnの夫々に用いられ、かつ、前記コアＣ1〜コアＣnに従って、前記内面は夫々異なるように形成されることを特徴とする。